Podtech/llm-jp-corpus-v4-ja_patent huggingface dataset:
(57)【要約】【課題】建造物の床下換気孔の換気機能を損なうことなく、集中豪雨時に発生する床下換気孔からの床下への浸水を外側からの遮蔽によって未然に防止し、冬季には床下保温機能を有し、また別部品を使用することにより平常時には害虫の侵入を防ぐ機能を有し、これらの機能を既存の床下換気孔に簡易に設置できることとその開口、遮蔽を簡易にできる遮蔽部材の提供を目的とする。【解決手段】床下換気孔の外側開口部の周囲に防水接着剤等を介して強磁性体の枠１を取り付け、開口部を遮蔽するためのマグネットシート３及び防水ゴムシール材４を接着した止水板２から成り立ち、マグネットシート３の磁力による吸着力によって止水板２と枠１とを密着させ床下への水の浸入を防ぎ、また止水板中央部分をメッシュとすれば害虫の侵入を防ぐ防虫機能も有する。【選択図】図１
0003136708.tif 000002
【実用新案登録請求の範囲】
【請求項１】
本考案は建造物の基礎６の立ち上がり部に設けられる床下換気孔等の開口部から床下への浸水を防止するために、開口部の周囲に防水接着剤等を介して強磁性体の枠１を取り付け、開口部を塞ぐために枠１の形状に合わせた磁性材料を配合したマグネットシート３及び、防水ゴムシール材４及び着脱用取手５を取り付けた止水板本体２から成り立ち、マグネットシート３の磁力による吸着力によって止水板２と強磁性体枠１と密着させ、防水ゴムシールによって浸水を完全に止めることができ、必要に応じて簡単に床下換気孔の開口部を開口、遮蔽することを特徴とする。
【考案の詳細な説明】
【技術分野】
【０００１】  この発明は、床下換気孔からの浸水を、周囲を強磁性体で囲った床下換気孔の開口部にマグネットシートを付属させた止水板を外部より遮蔽することにより、水の床下への浸入を防ぐことに関する技術である。
【背景技術】
【０００２】  従来のものは住宅基礎の製作時に、床下換気孔に予め浸水防止器具を取り付けるか、あるいは既存の床下換気孔へ取り付けるものは基礎にボルトを取り付けたりするなど新たな工事が必要で、尚且つ外観を損なうものもある。
【考案の開示】
【考案が解決しようとする課題】
【０００３】  以上の技術によれば、既存の住宅等には取り付けにくく誰にでも出来るようなものではなく、器具を取り付けても止水板の着脱に時間がかかってしまう実現性の薄い器具であった。  そこで、この発明は、既存の床下換気孔周囲に簡単に器具を取り付けられ、床下への水の浸入を防ぐ止水板もワンタッチで着脱ができることを提供することを課題とする。
【課題を解決するための手段】
【０００４】  以上の課題を解決するために、第一発明は、マグネットシートの磁力による吸着力を利用した止水板で着脱をし、床下換気孔の開口、遮蔽ができることを特徴とする器具である。
また、第二発明は、既存の床下換気孔に大きな加工を加えずに装着できることを特徴とする器具である。
【考案の効果】
【０００５】  第一発明、または第二発明によれば、既存の床下換気孔に簡単に器具を取り付けられ大雨増水の緊急時にも、また冬季の床下保温のためにワンタッチで床下換気孔を遮蔽することができ、不要時にはワンタッチで取り外すことができる。
【考案を実施するための最良の形態】
【０００６】この発明の一実施形態を、図１に示す。
基礎の床下換気孔周囲に防水接着して取り付けてある本体１は強磁性体を有するもので、止水板２にはマグネットシート３と防水ゴムシール４を接着させてある。【０００７】「実施形態の効果」
この実施形態によれば、床下換気孔を遮蔽する時にマグネットシート３を接着させた止水板２を、強磁性体の枠１にマグネットシート３の磁力によって吸着させ、止水板２を外す時は下方向にずらすか、そのまま手前に引っ張って外す。したがって止水板２はワンタッチで取り付け取り外しができる。【０００８】「他の実施形態」
図１の実施形態では、止水板の周囲にマグネットシートを取り付けその内側に防水ゴムシールを取り付けているがその外周でも良く、またマグネットシートの上に防水シールを接着することも良く、枠１の内外周囲に防水ゴムシールを取り付けても良く、他の実施形態１では枠１をマグネットシートとし、前記のように防水ゴムシールを内外外周に接着等をして、止水板２を強磁性体のものとしても良く、他の実施形態２では止水板の中央部を細かいメッシュとすれば通風機能が損なわれずに床下換気孔からの害虫の侵入を防ぐ防虫板にも利用できる。
【図面の簡単な説明】
【０００９】
【図１】この発明の一実施形態を示す斜視図である。
【図２】止水板のマグネットシート付属側正面及び側面図である。
【符号の説明】
【００１０】  １  強磁性体の枠      ２  止水板    ３  マグネットシート
４  防水ゴムシール    ５  取手      ６  建造物基礎
【図１】
0003136708.tif 000003
【図２】
0003136708.tif 000004
【手続補正書】
【提出日】平成19年8月3日(2007.8.3)
【手続補正１】
【補正対象書類名】実用新案登録請求の範囲
【補正対象項目名】全文
【補正方法】変更
【補正の内容】
【実用新案登録請求の範囲】
【請求項１】
建造物の布基礎６に設けられる床下換気孔をそのまま活かし、床下換気孔の形状に合わせた□または凹の字形の強磁性体枠１、枠１の外形形状に合わせ、磁性材料を配合したマグネットシート３及び、防水ゴムシール材４及び着脱用取手５を取り付けた止水板２から構成され、マグネットシートの磁力による吸着力によって強磁性体の枠と止水板を密着固定させ、防水ゴムシール材により床下換気孔の開口部を遮蔽し、床下への水の浸入を防ぎ、また簡易に開口できることを特徴とする床下換気孔浸水防止器具。
(57)【要約】      （修正有）【課題】ライター本体に煙草の箱に装着可能な２枚の曲性を有するパネルを設け、ライターの紛失を防止すると共に、喫煙時には、通常、煙草とライターを別々に取り出す不便性を解消する。【解決手段】ライターの側面に対して、煙草の箱に脱着可能な幅を有する２枚の曲性パネルを設け、更に２枚パネルにおける上部下部の幅の一方を長く、一方を短くすることにより、曲性パネルの固定度を更に高め、ライターの紛失防止、及び、煙草とライターを同時に取出せるという喫煙時の利便性に役立つ。【選択図】図２
0003136709.tif 000002
【実用新案登録請求の範囲】
【請求項１】
ライターの側面に対して、煙草の箱に脱着可能な幅を有する２枚の曲性パネルを設け、互いのパネル幅を一方は広く、一方は狭くすることにより、煙草の箱に包み込むようにして脱着できるライター。
【考案の詳細な説明】
【技術分野】
【０００１】  本考案は、喫煙用ライター側面部に曲性パネルを設けたライターに関するものである。
【背景技術】
【０００２】  煙草とライターは、喫煙時には身体の近辺に存在するが、喫煙後のライターは、安価なもの程、その所在が曖昧になっていた。また、煙草とライターを使うときに、別々に取り出さなければならない不便性があった。
【考案の開示】
【考案が解決しようとする課題】
【０００３】  一般的に販売されているライターは、その価格の安さから、消費者は粗末に扱っているのが実態であり、ライターを紛失しても再度購入して使用可能なライターがゴミとなり、且つ、大量消費され、資源の無駄遣い及び有害ゴミよる環境問題になっているのが現状である。従ってライターに曲性パネルを設けることにより、煙草の箱と脱着可能になり前述の問題点を解決しようとするものである。
【課題を解決するための手段】
【０００４】  本考案は、ライターの側面に対して、煙草の箱に脱着可能な幅を有する２枚の曲性パネルを設けることにより問題点を解決している。
【考案の効果】
【０００５】  上述のように、ライターに設けた２枚のパネルが、煙草の箱側面に装着されることにより煙草の箱に装着され、ライターの紛失防止に役立つと共に、煙草とライターが一体化されることにより、ポケット等にこれらを保管し、喫煙する際には煙草及びライターが同時に取り出せる効果がある。
【考案を実施するための最良の形態】
【０００６】  ライターの側面に対して、煙草の箱に脱着可能な幅を有する２枚の曲性パネルを設けるにあたり、並んだパネルの一方部を煙草の箱の側面幅と同じサイズ又は当該幅よりやや長くし、並んだパネルの反対部はやや短くすることにより、ライターに設けたパネルの広い方向から、煙草の箱に挿入し、パネルの狭い方向へ押上げることで、簡単及び確実に煙草の箱と当該ライターが脱着可能になる。
【実施例】
【０００７】  以下、添付図面に従って一実施例を説明する。１はライター本体と同質素材を用いて一体化成形されたパネル本体であり、同質素材を用いることでコストを削減している。２はパネルに曲性をもたせることにより、煙草の箱への固定度を高めている。【０００８】  ３から４の幅を煙草の箱本体側面よりやや広くすることにより、煙草の箱に挿入しやすく、又、はずし易くした。また、５から６の幅を煙草の箱より狭くすることにより、煙草の箱への固定度を高めた。煙草の箱へ挿入する場合は、並んだ２枚のパネルの広い方から挿入し、狭い方へ序々に押し上げることで、煙草の箱に装着できるし、又、２枚のパネル幅の広い方から煙草の箱の側面上部または下部から垂直に差し込むこともできる。逆に、ライターと煙草の箱を離す場合には、３から４のパネル幅の広いほうから引き抜く。
【図面の簡単な説明】
【０００９】
【図１】  煙草の箱対応型脱着ライターの斜視図である。
【図２】  本ライターの正面図である。
【符号の説明】
【００１０】  １  パネル本体
２  パネル曲性部
３  パネル下部先端
４  パネル下部先端
５  パネル上部先端
６  パネル上部先端
【図１】
0003136709.tif 000003
【図２】
0003136709.tif 000004
【手続補正書】
【提出日】平成19年8月21日(2007.8.21)
【手続補正１】
【補正対象書類名】実用新案登録請求の範囲
【補正対象項目名】全文
【補正方法】変更
【補正の内容】
【実用新案登録請求の範囲】
【請求項１】
ライターの側面に、煙草の箱に脱着可能な幅を有する１対の互いに内向きに曲がっているパネルを設け、互いのパネル先端の幅が上から下へ行くに従って、広くなっているライター。
(57)【要約】      （修正有）【課題】携帯パソコンの映像部をキーボード操作者以外に閲覧提示するときの不便を解消する。【解決手段】携帯パソコン本体５の第一映像表示画面２に付属した蝶番などの接続用継ぎ手３でプレゼンテーション用第２映像表示画面１を増設し、対面で折りたたみ使用するプレゼンテーション用携帯パソコン。【選択図】図１
0003136710.tif 000002
【実用新案登録請求の範囲】
【請求項１】
携帯用パソコンに２画面以上の映像表示画面を有したもの
【考案の詳細な説明】
【考案の詳細な説明】
【考案が解決しようとする課題】
【０００１】  従来、パソコンの画像表示を操作者が周囲の第三者に提示し、その内容説明にあたり、会場が広く、多人数のときの対処法として演壇にプレゼン用スクリーンや、その他の必要機材を用意し、これを実行していたが、対象者が少人数、又は、マンツーマンである場合は、キーボード操作者の背面や側面に、閲覧者や受講者を位置させて、商談、教授等行っていた。本来なら対面し、相手の表情や反応に臨機応変に対応しなければならない操作者は、パソコン画面に集中しているためこれが出来ず、不便を感じていた。又、周囲の閲覧者や受講者も操作者の体が邪魔になり煩わしく、正確に閲覧できる人数も限定されていた。又、パソコン操作指導やデモンストレーションを、出張説明する場合に、現地においては、その場に備えてあるパソコンと、持参したパソコンとを、通信ケーブルで接続するか、又は、事前にデモ用機材を一式用意し、携帯する必要があり、前者においては、遠慮や、失礼の感があり後者では、労力と経費の無駄が生じ、又、電源を簡単に用意できない場所や屋外では、デモ等の実行が困難であった。現在市販されているソフトウエアーの大半が音声やマウス利用で、操作実行ができる工夫がなされているため、映像やアイコンの動作を確認、習得することが重要視され、表示映像の内容理解がキーボード操作、パソコン利用習得を促進するため前述の不便を解決する必要があった。
【課題を解決するための手段】
【０００２】  本考案は、パソコン画像表示部を携帯して第三者に提示するときの不便を解消して、パソコン習得希望者や教授者の便宜を高める目的で考案するものである。いまその解決手段を通常型ノートパソコンに本案を付属した図面で説明すると、
（イ）  パソコン本体５の第一映像表示画面２の上縁に、蝶番などの接続用継ぎ手３でプレゼン用第２映像表示画面１を接続する。
（ロ）  プレゼン用第２映像表示画面１は、ノートパソコンを使用しない場合、蝶番などの接続用継ぎ手３を支点にしキーボードの上面で、第１映像表示画面２の表側と接して折りたたみ収納される。
【考案の効果】
【０００３】  通常型ノートパソコンの画像表示機能部を追加することにより、キーボード操作者に対面する第三者等となんらの障害もなく、同時に同じ表示映像を共有視することができる。
【図面の簡単な説明】
【図１】本考案の使用中斜視図
【図２】本考案の収納時斜視図
【図３】本考案の展開使用中右側面図
【符号の説明】
１  第２映像表示画面
２  第１映像表示画面
３  蝶番などの接続継ぎ手
４  展開方向表示の矢印
５  パソコン本体
【図１】
0003136710.tif 000003
【図２】
0003136710.tif 000004
【図３】
0003136710.tif 000005
【手続補正書】
【提出日】平成19年7月31日(2007.7.31)
【手続補正１】
【補正対象書類名】実用新案登録請求の範囲
【補正対象項目名】全文
【補正方法】変更
【補正の内容】
【実用新案登録請求の範囲】
【請求項１】
携帯用パソコンに２画面以上の映像表示画面を有した携帯用パソコン
(57)【要約】      （修正有）【課題】鉄道模型車両の妻面貫通扉の連結面に隙間が空く事無く、前後左右に回動自在な構造の貫通幌を提供する。【解決手段】紙又は樹脂で山折りと谷折りの繰り返し構造の貫通幌１を模型車両本体２の貫通扉部分３に簡単な接着作業で貼り付け実現できるようにした。【選択図】図２
0003136705.tif 000002
【実用新案登録請求の範囲】
【請求項１】
貫通幌の形状と回動自在を特徴とする鉄道模型車両の貫通幌。
【考案の詳細な説明】
【技術分野】
【０００１】本考案は鉄道模型車両の妻面貫通扉部分同士を蛇腹状の板でつなぐことにより実車通りの貫通幌を再現するものである。
【背景技術】
【０００２】従来は妻面貫通扉の連結面に隙間の空かない構造の貫通幌がなかった。
【考案の開示】
【考案が解決しようとする課題】
【０００３】鉄道模型車両のメーカー市販品は連結部分に空洞があり実際の鉄道車両にある貫通幌の部分が再現されていなかった
本考案は、妻面貫通扉の連結面に隙間の空かない構造の貫通幌を再現することを目的とするものである。
【課題を解決するための手段】
【０００４】紙又は樹脂で山折りと谷折りの繰り返す蛇腹構造の板をつくり模型の貫通扉部分３に簡単な接着作業で貼り付けて連結面に隙間が空く事無く、前後左右に回動自在な貫通幌を再現できるようにした。
【考案の効果】
【０００５】接着保持剤等により所定の位置に簡単に貼り付けられ、模型本体の妻面貫通扉同士の連結面に隙間が空く事無く、前後左右に回動自在な貫通幌を再現することができる。
【考案を実施するための最良の形態】
【０００６】図２及び図３に示すように貫通幌１の両端に接着保持剤等を貼り、模型車両本体２の妻面４にある貫通扉部分３に接着する。
【図面の簡単な説明】
【０００７】
【図１】考案品の立体図である。
【図２】幌形状を有する考案品と装着面を有する模型本体との関係を示した立体図である。
【図３】考案品の使用状況を示した平面図である。
【符号の説明】
【０００８】１  考案品の貫通幌
２  模型車両本体
３  貫通扉部分
４  妻面
【図１】
0003136705.tif 000003
【図２】
0003136705.tif 000004
【図３】
0003136705.tif 000005
【手続補正書】
【提出日】平成19年7月14日(2007.7.14)
【手続補正１】
【補正対象書類名】実用新案登録請求の範囲
【補正対象項目名】全文
【補正方法】変更
【補正の内容】
【実用新案登録請求の範囲】
【請求項１】
鉄道模型車両の妻面貫通扉部分の表面に接着保持剤等で貼り付ける事によって回動自在かつ貫通幌の形状をなす鉄道模型車両の貫通幌
(57)【要約】      （修正有）【課題】従来の手形・足型の耐久性及び保存性の解消した上での永久保存することができる鋳造手形・鋳造足型の提供。【解決手段】従来の手形・足型のデジタルデータ化からの液体樹脂版制作により、非鉄金属で鋳造する。【選択図】図１
0003136715.tif 000002
【実用新案登録請求の範囲】
【請求項１】
従来の手形・足型から液体樹脂製版を作成し、それを原型として使用し、鋳造された非鉄金属での鋳造手形・鋳造足型。
【考案の詳細な説明】
【技術分野】
【０００１】  本考案は、デジタルデータから作成した液状樹脂製版から鋳造した鋳造手形・鋳造足型に関するものである。
【背景技術】
【０００２】  従来の手形・足型は、子供の誕生や人生の記念日において成長の記録を後日他人に見せようという記録である。
【考案の開示】
【考案が解決しようとする課題】
【０００３】  しかし、従来の墨押しの手形は、ある程度時間が経つと退色し見栄えが悪くなり、ついには可視も不能となる。
【課題を解決するための手段】
【０００４】  そこで、従来の手形の問題点を解決するため、本考案は、記録としての手形・足型をデジタルデ−タ化し、液状樹脂製版を制作し非鉄金属により鋳造する。場合により表面を研磨及び着色する。
【考案の効果】
【０００５】  非鉄金属で鋳造するため、従来の手形・足型より立体的になり、見た目も綺麗で耐久性に優れている。
【実施例】
【０００６】  盾や木枠に付ける事により装飾品や贈答品として最適である。【０００７】  耐久性に優れているので、屋外の記念碑や墓所などの場所に設置する事に適している。【０００８】  故人の手形・足型から作成できるため、故人の手や足の大きさや形も視覚可しやすい。【０００９】  鋳造手形・鋳造足型の輪郭を、視覚障害者が触手することによって、スポ−ツ選手などの手や足の大きさや形を体感することが可能となる。
【図面の簡単な説明】
【００１０】
【図１】  本校案の実施例を示す正面図である。
【図１】
0003136715.tif 000003
【手続補正書】
【提出日】平成19年8月3日(2007.8.3)
【手続補正１】
【補正対象書類名】実用新案登録請求の範囲
【補正対象項目名】全文
【補正方法】変更
【補正の内容】
【実用新案登録請求の範囲】
【請求項１】
手形・足型からの液体樹脂製版を使用し鋳造された、触手可能な断面的及び写実的な表現を特徴とする、非鉄金属製の鋳造手形・鋳造足型。
(57)【要約】      （修正有）【課題】土木工事及び建築工事の鉄筋組立完了時の鉄筋の径、及び本数、配筋ピッチ等の配筋状況の確認を簡易に行う事を可能とし、工事記録写真に残して完了時不可視になる施工箇所の配筋状況を確認が出来るようにする。【解決手段】鉄筋の径を色別に分けた表示ピースを用いて確認を目視にて行う。表示ピースはプラスチック製として、半円でかつ長さ６０ｍｍで上部に鉄筋の径を表示して内部に磁石を設置する。磁石の使用により鉄筋の水平部、垂直部、上部の径に応じて取り付けてリボンロット等を当てることにより配筋状況の鉄筋の径及び、本数、ピッチ確認を行うことが出来る。立会検査段階確認時にも目視による説明で確認が可能となる。出来型管理用及び工事記録写真に残した場合も完成時に不可視になる施工箇所部も分かりやすく確認できる。【選択図】図１
0003136720.tif 000002
【実用新案登録請求の範囲】
【請求項１】
Ｄ−１０〜Ｄ−４１に付いて表示ピースは色分けを行っている。Ｄ−１０（しろ）▲２▼Ｄ−１３（きいろ）▲３▼Ｄ−１６（だいだいいろ）▲４▼Ｄ−１９（きみどり）▲５▼Ｄ−２１（みずいろ）▲６▼−２５（あか）▲７▼Ｄ−２９（あお）▲８▼Ｄ−３２（みどり）▲９▼Ｄ−３５（ももいろ）▲１０▼Ｄ−４１（むらさき）で製作を行い独立性を保つ。プラスチック製であり、形状は半円として長さは６０ｍｍとして使用時に支障のないものとする（１００ｍｍピッチの配筋時においても使用可能である）上部側に鉄筋の径を表示して、使用にあたっても経験の浅い技術者でも間違を防止することが出来る。さらにと確認をしやすくする。雨天時にも使用が可能であり、かつ汚れた場合は水洗を行うことが出来る。又色の劣化がないので長期に使用ができる。
【請求項２】
表示ピ−スの内部側に磁石を設置する。使用時水平部、垂直部、上部等どの場所でも取付が可能であり磁石により移動又落下の防止を計る。写真撮影又立会検査又は確認後取外して順次再使用して転用を計る事により長期使用が可能である。又は落下した場合は鉄筋等を用いて磁石を利用して引き上げる事が出来る。
【考案の詳細な説明】
【技術分野】土木建築工事等全般に、鉄筋を用いて配筋工事の組立完了時鉄筋の径本数、ピッチ等の検査、検測、工事記録写真の撮影に利用される。
【背景技術】従来の方法について特に決められものはなく、配筋部分にリボンロットを当てる場合のみである。一部ではその都度ビニ−ルテ−プを用いてビニ−ルテ−プの色分けにより区別する方法があった。テ−プの色はその都度変化があり統一されたものではなく、信頼された管理ができなかった。
【考案の開示】
【考案が解決しようとする課題】
【０００１】土木工事、建築工事等に伴う鉄筋配筋工事の組立完了時鉄筋の径、本数、配筋ピッチ等について検査、検測、工事記録写真撮影している状況であるが、特に配筋が複雑になる場合鉄筋の径、本数、配筋ピッチ等を目視で確認が困難である。又、完成時不可視になる箇所の確認が出来ないと言う問題点があった。
【課題を解決する為の手段】
【０００２】鉄筋の径（Ｄ−１０）〜（Ｄ−４１）等を各径毎に色を決めて色別する。表示ピ−スはプラスチック製として半円で、かつ長さ６０ｍｍで上部に鉄筋の径を表示して内部に磁石を設置するようにした。各々鉄筋の径に応じて取付後、リボンロケット等を当てる事によりピッチを確認後撮影して工事写真として残す。
【考案の効果】
【０００３】鉄筋の径を色別にて目視にて確認を行う事が可能となり、複雑な配筋に対応が出来る。内部に設置された磁石により配筋箇所の水平、垂直、上部に設置が出来る。日頃の出来型管理写真の撮影時、立会、段階確認時の準備時間の短縮と鉄筋の径、本数、ピッチ等が明確に判続できる利便性がある。夜間作業時には特に有効であると思われる。工事記録写真について完成時又将来リニュ−アル時施行箇所の配筋状況確認が簡易に行う事が出来る。写真撮影及び立会い確認後は取り外して順次再使用して転用を行うことにより無駄を省くことになる。雨天時にも使用が可能であり、かつ汚れた場合は水洗ができる。
【図面の簡単な説明】
【０００４】図１、考案した平面図及び断面図である。
図２、Ｄ−１０〜Ｄ−４１（１０個分）の平面図及び断面図である。
【符号の説明】
【０００５】１、鉄筋の径を色別に分ける。
２、鉄筋の径を表示する。
３、内部に磁石を設置する。
【図１】
0003136720.tif 000003
【図２】
0003136720.tif 000004
【手続補正書】
【提出日】平成19年7月26日(2007.7.26)
【手続補正１】
【補正対象書類名】実用新案登録請求の範囲
【補正対象項目名】全文
【補正方法】変更
【補正の内容】
【実用新案登録請求の範囲】
【請求項１】
実用新案登録請求において考案された内容については以下の通りです。
（１）Ｄ−１０〜Ｄ−４１（１０個）色分けを行い鉄筋の各径毎に独立性を出します。
色別は次の通りです。
▲１▼Ｄ−１０（しろ）▲２▼Ｄ−１３（きいろ）▲３▼Ｄ−１６（だいだいいろ）▲４▼Ｄ−１９（きみどり）▲５▼Ｄ−２１（みずいろ）▲６▼Ｄ−２５（あか）▲７▼Ｄ−２９（あお）▲８▼Ｄ−３２（みり）▲９▼Ｄ−３５（ももいろ）▲１０▼Ｄ−４１（むらさき）
（２）材料はプラスチック製として、形状は半円で長さは６０ｍｍで上部側に鉄筋の径を表示します。
（３）内部側に磁石を設置します。
以上からなる「表示ピース」であります。
【手続補正２】
【補正対象書類名】明細書
【補正対象項目名】０００４
【補正方法】変更
【補正の内容】
【０００４】
【図１】、考案した平面図及び断面図である。
【図２】、Ｄ−１０〜Ｄ−４１（１０個分）の平面図及び断面図である。
(57)【要約】      （修正有）【課題】スケールの熱伝導率はチューブの金属材料に比べて小さく、薄いスケールでも冷却海水への熱伝導を大きく阻害する。このスケールをチューブを傷つけることなく研削することができる研削棒を提供する。【解決手段】このスケールを機械的に削り取り、その際チューブの内面に超硬ロータリーバーが接触しないようにする。スケール研削棒によりスケール除去後に残ったスケールは化学除去剤により完全洗浄できる。チューブが完全にスケールを除去できれば冷却器は新品時の冷却能力を回復する。【選択図】図１
0003136717.tif 000002
【実用新案登録請求の範囲】
【請求項１】
冷却器のチューブの内側に付着するスケール及び詰まりを取り除く道具です。
チューブ内径が小さく電動ワイヤブラシの使い難く、チューブの内側がスケールで詰まったものや厚くなったものが対象です。
スケール研削棒は空気式ドリル或いは電気ドリルで回転させ使用します。
【考案の詳細な説明】
【技術分野】
【０００１】本考案は冷却器チューブの内側に付着したスケール及び詰まりを機械的に取り除くことに関するものです。
【背景技術】
【０００２】チューブ内径の小さいものでスケールの厚くなったものや詰まったものは対応に苦慮した。
【考案の開示】
【考案が解決しようとする課題】
【０００３】ワイヤーブラシでは詰まったチューブを貫通できず、薬品では厚くなったり或いは詰まったチューブのスケールを溶かすことが出来ません。このスケールをチューブを傷つけること無く研削することです。
【問題を解決するための手段】
【０００４】冷却器チューブに使用されている材料は第一に熱伝導率がよい銅合金が多くスケールのみを削ってチューブ内側を傷つけぬことが大切です。そこでこの目的に合った道具を考案しました。
【考案の効果】
【０００５】冷却器のチューブの内側が綺麗に掃除できれば冷却能力は強化できて本来の目的を達成できます。
【考案の実施するための最良の形態】
【０００６】このスケール研削棒は注水しながら使用し、先端の超硬ロータリーバーの羽根の最大径が研削棒棒部分の最大径よりも少し小さいことが大切です、研削棒の棒部分は超硬ロータリーバーがチューブの内側を傷つけぬ為の案内役にもなっているのです。
冷却器廻りが狭い場合には程良く長い研削棒と短い研削棒を作ると便利です。
研削棒の棒外径をチューブ内径よりも少し小さくしますがその隙間はスケール洗浄水の注水に役立ち更に研削棒が上下左右に動き、微かのスケールを残しながら削り取ることが出来ます。
【実施例】
【０００７】船用ディーゼルエンジンの空気冷却器は過給機より高温（１５０℃以上）の空気が送られこの空気を海水で冷却しますが、一部海水の流れが滞って逆に高温空気により海水が蒸発させられ
0003136717.tif 000003
等もあり出力を充分に上げれなくなります。
ディーゼルエンジンを停止して空気冷却器のカバーを外しチューブブラッシングをしますがスケールの厚いチューブはスケール研削棒を使用して微かなスケールにしました。
この時のチューブ内径は１０．７ｍｍ、長さ１８００ｍｍでした。
スケール研削棒は１２００ｍｍと６００ｍｍの長さのものを使用。【０００８】舶用補助ボイラーの腹水器（ドレンクーラー）は海水で冷却されます、主機排気によりエコノマイザーで発生する蒸気は補助ボイラーに戻りますが機関室の加熱器の加熱用蒸気及び燃料タンクの加熱用蒸気及びその他に供給する以外の余剰蒸気は腹水器に送り、腹水器の戻りドレンは時に高温になりチューブはこのドレンに長時間晒されスケールが形成されることがある。チューブにスケールが厚く付着すると常温の腹水に出来なくなりカスーケードタンクの水の温度が上昇するから直ぐに気付くことができる。
腹水器のカバーを外しチューブブラッシングし、スケールの厚いチューブはスケール研削棒を使用して微かなスケールにしました。
この時のチューブ内径は１０．７ｍｍでした。
【図面の簡単な説明】
【０００９】
【図１】スケール研削棒
【図２】冷却器とチューブ
【符号の説明】
【００１０】１              超硬ロータリーバー
２              棒部分
３              ドリルチャックに固定する部分
４              チューブ
【図１】
0003136717.tif 000004
【図２】
0003136717.tif 000005
【手続補正書】
【提出日】平成19年7月26日(2007.7.26)
【手続補正１】
【補正対象書類名】実用新案登録請求の範囲
【補正対象項目名】全文
【補正方法】変更
【補正の内容】
【実用新案登録請求の範囲】
【請求項１】
冷却器のチューブの内側に付着するスケール及び詰まりを取り除くために使用するスケール研削棒において、
スケール及び詰まりを取り除く超硬ロータリーバーと、
前記超硬ロータリーバーの最大径よりも大きい外径を有する棒部分と、
ドリルチャックに固定される固定部分とが、長手方向に上記順に同軸で形成されていることを特徴とするスケール研削棒。
【手続補正２】
【補正対象書類名】明細書
【補正対象項目名】０００６
【補正方法】変更
【補正の内容】
【０００６】このスケール研削棒は注水しながら使用し、先端の超硬ロータリーバー１の羽根の最大径が研削棒棒部分２の最大径よりも少し小さいことが大切です、研削棒の棒部分２は超硬ロータリーバー１がチューブの内側を傷つけぬ為の案内役になっています。
研削棒の棒外径２をチューブ内径４よりも少し小さくしますがその隙間は注水に役立ち更に研削棒が上下左右に動き、わずかのスケールを残しながら削り取ることが出来ます。
冷却器廻りが狭い場合には長い研削棒と短い研削棒を作ると便利です。
(57)【要約】      （修正有）【課題】根がかりを少なくする様な形状の錘のしかけを提供する。【解決手段】中心部に、うめ込んである鉛の錘ａ、ａの回りに密着する合成樹脂の外殻部ｂ、最外殻部に突出する突起ｃから構成する。海底の凹部に錘が落ちた時、引き上げの際矢印方向に力がかかっても、外殻の突起が柔軟な為、容易に脱出できる。【選択図】図１
0003136775.tif 000002
【実用新案登録請求の範囲】
【請求項１】
魚釣りにおいて使用する、球状の錘を、ウニの様な突起のついた、合成樹脂の中にうめ込み、海流によって流されても、海底の石や岩に挟まる、いわゆる“根がかり”を減少させるように工夫した、錘付きのシカケ。
【考案の詳細な説明】
【技術分野】
【０００１】本考案は、海釣りにおいて使用する錘、シカケの根がかりを減少させる目的で、考案された物である。
【技術背景】
【０００２】従来、錘に足をつけて、海底で立脚させ、根がかりを減少させる錘が、特許申請されている。
【考案の開示】
【考案が解決しようとする課題】
【０００３】しかしながら、従来の技術では、海流により流された時に、効果が不安定な為、本来の目的を発揮できない。
【課題を解決するための手段】
【０００４】本考案は、球状の突起のついた合成樹脂に、球状の錘をうめ込み海流によっても、海底をころがり、かつ根がかりが減少する様にして、上記課題を解決するものである。
【考案の効果】
【０００５】請求項１の考案によれば、ウニの様な突起のついた合成樹脂の中に、錘をうめ込む事により、岩の間に、錘が落ちた場合でも、柔軟な突起の作用により、岩の隙から脱出させる事が容易であり、根がかりを減少させる事が期待できる。
【考案を実施するための最良の形態】
【０００６】図面を参照して、本考案の形態を説明する。
１．ａ．中心部に、うめ込んである従来の鉛の錘である。
ｂ．ａの回りに密着する合成樹脂の外殻部である。
ｃ．最外殻部に突出する突起である。
３．海底の凹部に錘が落ちた時、引き上げの際矢印方向に力がかかっても、外殻の突起が柔軟な為、容易に脱出できる。
【図面の簡単な説明】
【０００７】
【図１】は、本考案の、断面図、実物形状、使用図である。１．断面図  ２．実物形状〈シカケ〉  ｄ  ナイロンテグスを通した状態  ｅ  金具（ヨリモドシサルカン）  ３．使用図
【図１】
0003136775.tif 000003
(57)【要約】      （修正有）【課題】通常の声を拡大し、より遠くまで聞こえるよう簡単で、しかも安価に提供できるメガホンである。【解決手段】口部から入力した声を、鋼のスプリングによる振動を集音反射筒により拡大して、より遠くまで聞こえるようにしたメガホンである。【選択図】図１
0003136771.tif 000002
【実用新案登録請求の範囲】
【請求項１】
口あて部（２）から入力した音声を集音反射筒（３）の中心部にある振動スプリング（４を振動することにより拡大された音が出るメガホン
【請求項２】
集音反射筒（３）の中心部に、振動スプリング（４）を、スチロール板（５）を補強のため二枚重ねにした間に取り付け接着し、一方を集音筒（３）の底に取り付けて樹脂板（６）に取り付ける請求項１に記載のメガホン
【請求項３】
集音反射筒（３）を取り付ける樹脂板（６）は音のバランスを考えて、外側の穴（Ｂ）１６個内側の穴（Ａ）８個の穴を開けて、本体（１）と樹脂板（６）が接触する内部４箇所に凸部（７）を設けて集音筒（３）を凸部（７）の内側に取り付けることにより外れにくい請求項１記載のメガホン
【考案の詳細な説明】
【技術分野】
【０００１】  本考案は、学校、野球場、サッカー場、その他各種行事や集会において、人の肉声を手軽に伝達するためのメガホンに関するもので、特に音声の明瞭性と指向性を改善することを目的とする請求項１に記載のメガホン
【背景技術】
【０００２】  従来のこの種のメガホンは口部から入力した音声を、振動された音を反射、共鳴によって拡大させるようになっているが、構造上音が拡散し指向性、明瞭性に欠けているきらいがあった
【考案の開示】
【考案が解決しようとする課題】
【０００３】  この考案は上記のような欠点を改善し音声の指向性と明瞭性の向上を計ったものである
【課題を解決するための手段】
【０００４】  本考案は口部から入力された音声波を、反射筒と振動スプリングの振動効果がより音声を拡大させるように構成したもので、これにより音声は歪むことなく拡大され音声の明瞭性、指向性を向上させる
【考案の効果】
【０００５】  本考案は入力された音声を、集音筒の中でスプリングの振動作用により更に音声を拡大してメガホンの直管導声部に伝播するので指向性も高くなり明瞭な音声を十分拡大して出力することが可能となる
【実施例】
【０００６】  以下添付図面に従って一実施例を説明する。（１）は耐久性の樹脂等適宣素材にて一体成型された本体（２）は口あて部、（３）は集音筒、（４）は０．５ｍｍφの鋼を使用したスプリング、（５）はスプリングを留めるための樹脂板、（７）は集音筒全体を取り付けるための突起部分である
【産業上の利用可能性】
【０００７】  本考案の一実施例は上記のごとき構成からなるものであるから、スポーツ等応援ばかりではなく、セキュリティ、防犯、防災など一家に一個は必要な商品といえよう
【図面の簡単な説明】
【０００８】
【図１】  本考案実施例のメガホンの側面図
【図２】  本考案実施例のメガホンの集音筒上部の図
【図３】  本考案実施例のメガホンの集音筒側断面図
【符号の説明】
【０００９】  １  メガホン本体
２  口あて部
３  集音反射筒
４  振動スプリング
５  スプリングを留めるスチロール板
６  集音反射筒を取り付ける樹脂板
７  反射筒全体を取り付ける突起４箇所
８  ひも取り付け穴２箇所
【図１】
0003136771.tif 000003
【図２】
0003136771.tif 000004
【図３】
0003136771.tif 000005
(57)【要約】      （修正有）【課題】携帯用灰皿により広い面積の廉価で色彩のきれいな広告媒体を設ける手段を提供する。【解決手段】不燃の基材布を重ね合わせてその三辺を縫製又は圧着して袋部を形成した内袋２の外側に、断熱材３を狭持し、基材布を重ね合わせて三辺を縫製又は圧着して袋部８を形成した外袋１を形成するとともに、他に一辺を入口部７として成し、この入口部７の背面の基材布を延在して入口部７を閉塞しながら、袋部まで折り返す蓋部５を形成した携帯用灰皿において、外袋１と内袋２の間に広告媒体を挟み込んだことで、より広い面積の廉価で色彩の美しい広告を持たせることが出来る。【選択図】図２
0003136778.tif 000002
【実用新案登録請求の範囲】
【請求項１】
不燃の基材布を重ね合わせてその三辺を縫製又は圧着して袋部を形成した内袋の外側に、断熱材を狭持し、基材布を重ね合わせて三辺を縫製又は圧着して袋部を形成した外袋を形成するとともに、他に一辺を入口部として成し、この入口部の背面の基材布を延在して入口部を閉塞しながら、前記袋部まで折り返す蓋部を形成した携帯用灰皿において、外袋と内袋の間に広告媒体を挟み込んだことを特徴とする携帯用灰皿。
【請求項２】
外袋を形成する基材布が透明または半透明であることを特徴とする請求項１記載の携帯用灰皿。
【請求項３】
外袋と内袋の間に挟み込んだ広告媒体が紙、合成紙、又はプラスチックフィルムである事を特徴とする請求項１記載の携帯用灰皿。
【請求項４】
外袋と内袋の間に挟み込んだ広告媒体の表面に印刷を施した事を特徴とする請求項１記載の携帯用灰皿。
【請求項５】
外袋と内袋の間に挟み込んだ広告媒体の表面にラミネートを施したことを特徴とする請求項１記載の携帯用灰皿。
【考案の詳細な説明】
【技術分野】
【０００１】  本考案は、ポケットなどに入れることの出来る柔軟な素材にて作成された携帯用灰皿に関し、特に廉価で美しい広告媒体を提供出来る携帯用灰皿に関する。
【背景技術】
【０００２】  実用新案登録２５０５７１６号には、前記公報に開示したような灰や吸い殻を入れる袋体を形成した上に、袋体の背面下方部にライターの収容部を設けた携帯用灰皿が知られている。この携帯用灰皿の表面に、名入れ広告用としてシルク印刷を施す場合もある。【０００３】  また、実用新案登録３０９１７６７号には、携帯用吸い殻入れの表面に透明フィルムの三方を接着し、吸い殻入れの表面と透明フィルムとの間にポケット状の収納部を形成し、この収納部にオフセット印刷等により別途作成したシートを挿入する場合もある。
【特許文献１】実用新案登録２５０５７１６号公報
【特許文献２】実用新案登録３０９１７６７号公報
【考案の開示】
【考案が解決しようとする課題】
【０００４】  実用新案登録２５０５７１６号に示す携帯用灰皿は、袋体の背面下方部にライターの収納部を設けているので、携帯用灰皿自身が厚くなってしまい、ポケットなどに入難くなってしまう。また、宣伝用の広告媒体を利用しようとしても、広告媒体の安定が悪く簡単に外れて使い物にならない。【０００５】  また、実用新案登録３０９１７６７号に示す携帯用灰皿は、吸い殻入れの表面と透明フィルムとの間にポケット状の収納部を形成し印刷シートを挿入するとなっているが、宣伝用の広告媒体を印刷したシートの面積が狭いことや灰皿全面に入れる事は出来ない。しかも、簡単に取り出したり、ポケット状の収納部にゴミが混入してしまい使用頻度が高いと見た目も悪くなる。【０００６】  また、携帯用灰皿に直接シルク印刷を施す場合には、印刷コストがかかる割に多色刷りにおいて色むらが生じたり、印刷の細部がぼやけてクリアな細部を再現することが出来なかった。【０００７】  そこで本考案は上記事情に鑑み、携帯用灰皿が有する全面の広い面積を広告媒体としての機能として提供すると共に、廉価で色の美しい広告媒体を提供することを目的とする。
【課題を解決するための手段】
【０００８】  上記目的を達成するために、表面を構成する外袋と、この外袋内に配置されて内側に不燃の基材布を用いた吸い殻の収容部を構成する内袋と、外袋と内袋の間に配置された断熱材と、外袋と断熱材の間に配置された広告媒体を挟み込んだ。
【考案の効果】
【０００９】  以上のような本考案の携帯用灰皿では、内袋と外袋の間に広告媒体を挟み込むことにより、より広い面積で広告媒体を表現でき、多色刷りや物の再現性及びコストを低下させることが可能となる。【００１０】  また、広告媒体の表面にラミネートを施すことにより、外袋に印刷インク等が写らないよう配慮し、色彩の美しい状態で使用することが出来る。
【考案を実施するための最良の形態】
【００１１】  図１は本考案の一つの実施形態にかかる携帯灰皿の表面を構成する外袋１と、この外袋内に配置されて内側に不燃の基材布を用いた吸い殻の収容部を構成する内袋２と、外袋１と内袋２の間に配置された断熱材３と、外袋１と断熱材３の間に配置された広告媒体４を備えてなる。【００１２】  外袋１は、シート素材により上部が開口した袋状に形成されている。具体的にはエチレン酢酸共重合体のシート素材を折り曲げ両側接合部をヒートシールや接着により接合し、前面部１ａと後面部１ｂとを有し、下端が閉じて上端が開放された袋状に形成されている。後面部１ｂの上端には折曲蓋部５が延設され、この折曲蓋部５には止着部６を締結されて上部開口を閉じるようになっている。
【図面の簡単な説明】
【００１３】
【図１】本考案の一つの実施形態にかかる携帯用灰皿の構成図
【図２】携帯用灰皿を開いた状態の図
【図３】携帯用灰皿の側面図
【図４】携帯用灰皿の側断面図
【符号の説明】
【００１４】  １      外袋
１ａ    前面部
１ｂ    後面部
２      内袋
３      断熱材
４      広告媒体
５      蓋部
６      止着部
７      入口部
８，９  袋部
【図１】
0003136778.tif 000003
【図２】
0003136778.tif 000004
【図３】
0003136778.tif 000005
【図４】
0003136778.tif 000006
(57)【要約】      （修正有）【課題】ウニ漁に欠かせないウニのむき身の作業で人手不足やら手作業のため、むき身の苦労を解消する吸引器を提供する。【解決手段】これを手軽に出来る道具として考案した器具である。空気の圧縮により吸引力を利用した道具である。先端のノズルにある細長い穴を利用して薄皮及び汚物砂を採取し、本器を利用することにより作業の能率が上がる本器は移動が簡単で手軽で作業も簡易である。【選択図】図１
0003136779.tif 000002
【実用新案登録請求の範囲】
【請求項１】
吸引式ウニ薄皮、汚物砂取り器であって、
空気圧縮吸引ポンプ室（１）に繋がる吸引パイプ（２）の先端にウニ本体（５）の内部に挿入できるようになっている吸引ノズル（４）を設け、前記吸引ノズル（４）で空気を使って吸引した茶黒の薄皮（７）及び汚物砂（８）を取り込み貯める汚物貯蓄室（３）を前記吸引パイプ（２）の中間に設け、前記汚物貯蓄室（３）には貯めた茶黒の薄皮（７）及び汚物砂（８）を排出する排出蛇口（９）を設けたことを特徴とする吸引式ウニ薄皮、汚物砂取り器。
【考案の詳細な説明】
【技術分野】
【０００１】  本考案は、従来海で採取してきたウニを人手にて内部の薄皮、汚物砂取りをピンセットなどの道具で苦労して取り捨てていたのをより短時間にて取り出せるように考えた器具である。
【背景技術】
【０００２】  従来の手作業では技術も必要であったし時間もかかり排出物の処理等にも労力が必要であり苦労が多かっただけでなく特に実身に傷が付かないように実身を取り出す技術を求められる作業であった。
【考案の開示】
【考案が解決しようとする課題】
【０００３】  従来からのウニのむき身の技術はカギ状の道具で殻を二つに割って内身をピンセット状の挟む器具を使って薄皮その他を取り排出物を苦労して取っていた。
【課題を解決するための手段】
【０００４】  本考案は作業が楽になり時間も早く済み良いむき身が出来る道具である。空気の吸引力を利用した吸引器の考案により労力と時間の無駄をなくした。
【考案の効果】
【０００５】  本考案により労働人の確保にも心配はなくて済むし、ウニのむき身の心配は少なくて済み実身のむき身の綺麗さに自信がついた商品価にも多いに良い。
【考案を実施するための最良の形態】
【０００６】以下本考案の実施の形態について説明する。
本器の機械の吸引器の空気もれと吸引ホース部分のノズル部品の目詰まりの有無の状態の点検を確認して実身に傷を付けないように作業すること。
【実施例】  海産物のウニの排出物薄皮の取り方で従来漁師など女の手を雇いウニの殻を割って内部より実身を取り出す作業をやるのに汚物や茶黒の薄皮を取り除き実身を取り出すのであるが、その手間はずいぶん時間がかかり苦労していた。
本考案はウニ薄皮汚物砂取り器を空気の吸引力を利用した吸引器でその苦労を解決する道具である。
以下は使用方法を記述する。
（１）の空気圧縮吸引ポンプ室にて空気を吸引す。（２）の吸引パイプをとおり（３）の汚物貯蓄室に貯める（４）の吸引ノズルを使い（５）の本体ウニの内部に入り（７）の茶黒の薄皮及び（８）の汚物砂を吸引して（３）の汚物貯蓄室に取り込む（９）は（３）に貯めた排出物を排出する蛇口である。
【図面の簡単な説明】
【０００７】
【図１】側面図
【図２】ウニの断面図
【図３】ウニの割断面図
【図４】先端ノズル図
【図５】ノズル断面図
【図６】ウニ内部採取図
【符号の説明】
【０００８】１    吸引ポンプ室
２    吸引パイプ
３    汚物吸引貯蓄室
４    吸引ノズル
５    ウニ本体
６    ウニ実身
７    薄皮茶黒
８    汚物砂
９    貯蓄水排出口
１０  吸引モータ
１１  ウニ殻
１２  先端吸引ノズル穴
【図１】
0003136779.tif 000003
【図２】
0003136779.tif 000004
【図３】
0003136779.tif 000005
【図４】
0003136779.tif 000006
【図５】
0003136779.tif 000007
【図６】
0003136779.tif 000008
(57)【要約】      （修正有）【課題】乳幼児のアトピー性皮膚炎や湿疹の掻きむしりを防止するベストを提供する。【解決手段】乳幼児は炎症による痒みを我慢する事もできずに掻きむしり、目を離せない状況で治癒も遅れがちである。綿素材を使用しているので体に優しいベストで面ファスナーで留めるだけなので薄着でも厚着でも容易に着脱出来る。袖を通し前合わせ８の面ファスナーを留め、前身部分の面ファスナーに股覆いベルト５の面ファスナー７を留める。固定ベルト２で手を固定することにより掻きむしりを防ぐことが出来る。前身部分の面ファスナーに留めを股覆いベルトがゆるまないように留める事により、固定ベルトの部分が上がる事を調製する事ができる。前合わせの留めや固定ベルトの留めにより薄着や厚着、運動量を調整することができ、おむつ替えも容易である。【選択図】図４
0003136729.tif 000002
【実用新案登録請求の範囲】
【請求項１】
乳幼児のアトピー性皮膚炎や、湿疹等での掻きむしりを防止する衣服で、手の部分を固定して患部にふれないようにする乳幼児の掻きむしり防止ベスト
【請求項２】
ベストふうにする事により薄着、厚着の上からも前合わせ、股間から前、手の固定を面ファスナーで留めることにより、着脱やゆとり、運動量も容易にできる乳幼児の掻きむしり防止ベスト
【考案の詳細な説明】
【技術分野】
【０００１】
この考案は乳幼児の掻きむしりを防ぐベストである。
【背景技術】
【０００２】
おむつ替えや着脱が容易な乳幼児服は公報に開示されている。
【０００３】
【特許文献１】特開平１１−１０７０１３号公報
【特許文献２】実用登録３０７０４８５号公報
【特許文献３】実用登録３０６０３３１号公報
【考案の開示】
【考案が解決しようとする課題】
【０００４】
アトピー性皮膚炎や湿疹で乳幼児が良くなっては掻きむしりの繰り返しの為、親は目が離せず睡眠もままならない状況にある。
【課題を解決するための手段】
【０００５】
ベストで面ファスナー留めなので薄着でも厚着でも着脱が容易でありサイズも調製しやすく後ろ身からのベルトも面ファスナー留めなのでおむつ替えも容易である。手の固定部分のベルトも面ファスナー留めなので状況に応じて手の着脱が容易に出来る。ベルトの取付部分も１，２ｃｍの持ち出し（運動量）から手の固定ベルトになっているので顔等の掻きむしりが出来ない程度の動きは出来、後ろ身からのベルトでの留めにより前裾や手の固定ベルトが上にあがらなくなり掻きむしりを防ぐことが出来る。手の固定ベルトは後ろベルトの留めにより左右される事になる。
【考案の効果】
【０００６】
アトピーで悩んでいる方が年々増加しており、特に乳幼児の場合掻きむしるので
目が離せず夜も安心して眠れずにいるようです。この掻きむしり防止ベストにより
そのストレスから解放され炎症の悪化も防ぐことができる。
【考案を実施するための最良の形態】
【０００７】
図１は着用の形態で座ることも出来図２の符号２を開放する事により手は自由になる。図３の符号６と符号７の留めで前裾や手の固定ベルトの持ち上がりを調製でき、る。図４のように手を通し前と符号５と符号２を面ファスナーで留めることにより簡単に着脱できる。図５は手の固定部分で手を通し符号３と符号４を留め。図６の符号９の範囲で手を動かすことが出来るが患部への掻きむしりは出来ない。
【０００８】
ベストは綿等の刺激の少ない素材を使用することで乳幼児に優しく普通に洗濯もできる。
【図面の簡単な説明】
【０００９】
【図１】着用状況を示す正面図
【図２】手の開放を示す正面図
【図３】着用前の状況を示す正面図
【図４】着用前の状況を示す正面図
【図５】手の固定ベルトの開放事の状況図
【図６】手の固定ベルトの固定状況図
【符号の説明】
【００１０】
１  前身頃
２  手の固定ベルト
３  手の固定ベルトの面ファスナー
４  手の固定ベルトの面ファスナー
５  後ろ身頃からの股覆いベルト
６  股覆いベルトの前身部分の面ファスナー
７  股覆いベルトの面ファスナーで前身符号６に留める
８  前身留め面ファスナー
９  手の固定ベルトの運動量部分
【図１】
0003136729.tif 000003
【図２】
0003136729.tif 000004
【図３】
0003136729.tif 000005
【図４】
0003136729.tif 000006
【図５】
0003136729.tif 000007
【図６】
0003136729.tif 000008
【手続補正書】
【提出日】平成19年8月21日(2007.8.21)
【手続補正１】
【補正対象書類名】実用新案登録請求の範囲
【補正対象項目名】全文
【補正方法】変更
【補正の内容】
【実用新案登録請求の範囲】
【請求項１】
乳幼児のアトピー性皮膚炎や、湿疹等での掻きむしりを防止する為手の部分を固定して掻きむしりを防止する衣料で、前身頃（１）のベスト部分とベスト背部からの股覆いベルト（５）、ベスト前後脇に縫い込まれた手の固定ベルト（２）で構成されており、ベストの前留め、背部からの股覆いベルトの留め、脇に縫い込まれた掻きむしりを防止するための手の固定ベルトの留めは面ファスナーを使用する事により着脱や調製が容易に出来手の固定ベルトに手を固定することで掻きむしりを防ぐ乳幼児の掻きむしり防止ベスト。
【請求項２】
アトピー性湿疹や皮膚炎は刺激に敏感なので体にやさしい綿素材を使用することを特徴とする請求項１記載の乳幼児の掻きむしり防止ベスト。
(57)【要約】【課題】土曜日表示部及び日曜日表示部に沢山の予定を書き込めない従来のカレンダーの不便を解決すること。【解決手段】カレンダーの形状を六角形にすることにより、この課題を解決する。【選択図】図１
0003136725.tif 000002
【実用新案登録請求の範囲】
【請求項１】
土曜日表示部及び日曜日表示部のスペースが月曜日表示部・火曜日表示部・水曜日表示部・木曜日表示部・金曜日表示部のスペースよりも広いことを特徴とするカレンダー。
【請求項２】
六角形の形状を特徴とするカレンダー。
【考案の詳細な説明】
【技術分野】
【０００１】本考案は、カレンダーに関する。
【背景技術】
【０００２】従来のカレンダーでは、月曜日表示部・火曜日表示部・水曜日表示部・木曜日表示部・金曜日表示部と土曜日表示部及び日曜日表示部のスペースが同じであった。
【考案の開示】
【考案が解決しようとする課題】
【０００３】しかし、これでは、土曜日表示部及び日曜日表示部に予定を沢山書き込みたい際、月曜日表示部・火曜日表示部・水曜日表示部・木曜日表示部・金曜日表示部と同じスペースである為、土曜日表示部及び日曜日表示部に予定を沢山書き込めないので不便である。
【課題を解決するための手段】
【０００４】そこで、カレンダーの形状を六角形にすることにより、土曜日表示部及び日曜日表示部のスペースが月曜日表示部・火曜日表示部・水曜日表示部・木曜日表示部・金曜日表示部のスペースよりも広いカレンダーを考案した。
【考案の効果】
【０００５】よって、本考案のカレンダーにより、土曜日表示部及び日曜日表示部に予定を書き込む際、沢山の予定を書き込むことができる。また、土曜日表示部及び日曜日表示部のスペースが月曜日表示部・火曜日表示部・水曜日表示部・木曜日表示部・金曜日表示部に比べ広いので、視覚効果により、土曜日及び日曜日が長く感じられる為、心にゆとりを持った生活を送ることができるデザインとなっている。
【考案を実施するための最良の形態】
【０００６】本考案のカレンダーは、図１に示すように、カレンダーの形状を六角形にすることで土曜日表示部を６とし日曜日表示部を７としている。土曜日表示部６と日曜日表示部７は、月曜日表示部１・火曜日表示部２・水曜日表示部３・木曜日表示部４・金曜日表示部５に比べスペースが広い。
【図面の簡単な説明】
【０００７】
【図１】本考案のカレンダーの全体図である。尚、それぞれの曜日表示部の縦５枠がそれぞれの曜日を指す。
【符号の説明】
【０００８】  １        月曜日表示部
２        火曜日表示部
３        水曜日表示部
４        木曜日表示部
５        金曜日表示部
６        土曜日表示部
７        日曜日表示部
８        月表示部
【図１】
0003136725.tif 000003
【手続補正書】
【提出日】平成19年8月3日(2007.8.3)
【手続補正１】
【補正対象書類名】実用新案登録請求の範囲
【補正対象項目名】全文
【補正方法】変更
【補正の内容】
【実用新案登録請求の範囲】
【請求項１】
土曜日表示部及び日曜日表示部のスペースが月曜日表示部・火曜日表示部・水曜日表示部・木曜日表示部・金曜日表示部のスペースよりも広いことを特徴とするカレンダー。
【請求項２】
六角形の形状を特徴とする請求項１記載のカレンダー。